(57)【要約】【課題】  基地局アンテナがカバーする最大半径を調節してロケーションベースのサービスを最適化する。【解決手段】  測定地点ごとにＣ−ＧＰＳ方式及びＡ−ＧＰＳ方式を用いてＧＰＳ人工衛星１０２からＣ−ＧＰＳ位置情報及びＡ−ＧＰＳデータを含むＭＡＲ値最適化用データを受信して伝送するテスト用端末１１０と、テスト用端末と信号及びデータのやり取りを行う基地局伝送器１２０と、基地局伝送器から送出される信号を受信して処理する基地局制御機１３０及びこれと接続される移動交換局１４０と、移動通信網を通じてＭＡＲ値最適化用データを受信して分析し、ＭＡＲ値最適化条件に該当する無線基地局のＭＡＲ値を更新する位置決めサーバー１６０とを設けた。【選択図】    図１
2004254292.tif 000002
【特許請求の範囲】
【請求項１】
基地局アンテナがカバーする最大半径（ＭＡＲ）値を調節してロケーションベースのサービスを最適化するべく、
一つ以上の測定地点ごとにＣ（Ｃｏｎｖｅｎｔｉｏｎａｌ）−ＧＰＳ（Ｇｌｏｂａｌ  Ｐｏｓｉｔｉｏｎｉｎｇ  Ｓｙｓｔｅｍ）方式及びＡ（Ａｓｓｉｓｔｅｄ）−ＧＰＳ方式を用いて一つ以上のＧＰＳ人工衛星から受信されたＣ−ＧＰＳ位置情報及びＡ−ＧＰＳデータを含むＭＡＲ値最適化用データを伝送するテスト用端末と、
予め設定されたＭＡＲ値を格納しており、前記テスト用端末に対して信号及びデータのやり取りを行う基地局伝送器と、
前記基地局伝送器から送出される信号を受信して処理する基地局制御機及び前記基地局制御機と接続される移動交換局と、
移動通信網を通じて前記ＭＡＲ値最適化用データを受信し、該受信したＭＡＲ値最適化用データを分析し、ＭＡＲ値最適化条件に該当する無線基地局のＭＡＲ値を更新して、前記ロケーションベースのサービスを最適化する位置決めサーバーと、
を含むことを特徴とするロケーションベースサービスの最適化システム。
【請求項２】
前記位置決めサーバーが、前記基地局伝送器を含む無線基地局と各々の測定地点との間の距離値のうち、最大距離値を前記新たなＭＡＲ値として設定するＭＡＲ値最適化アルゴリズムを組み込むことを特徴とする請求項1に記載のロケーションベースサービスの最適化システム。
【請求項３】
前記ＭＡＲ値最適化アルゴリズムが、前記基地局伝送器を含む無線基地局の緯経度座標と前記測定地点の各々の緯経度座標との間の距離値を計算して前記最大距離値を取得することを特徴とする請求項２に記載のロケーションベースサービスの最適化システム。
【請求項４】
前記測定地点の各々の緯経度座標が、前記位置決めサーバーが受信した前記Ｃ−ＧＰＳ位置情報に含まれていることを特徴とする請求項３に記載のロケーションベースサービスの最適化システム。
【請求項５】
前記テスト用端末が、Ｃ−ＧＰＳ受信機を組み込むことを特徴とする請求項1ないし４のいずれかに記載のロケーションベースサービスの最適化システム。
【請求項６】
前記テスト用端末が、Ａ−ＧＰＳ受信モジュールを組み込むことを特徴とする請求項1ないし５のいずれかに記載のロケーションベースサービスの最適化システム。
【請求項７】
前記テスト用端末が、ＰＤＡ（Ｐｅｒｓｏｎａｌ  Ｄｉｇｉｔａｌ  Ａｓｓｉｓｔａｎｔ）、携帯電話、ＰＣＳ（Ｐｅｒｓｏｎａｌ  Ｃｏｍｍｕｎｉｃａｔｉｏｎ  Ｓｅｒｖｉｃｅ）電話、携帯用ＰＣ（Ｐｅｒｓｏｎａｌ  Ｃｏｍｐｕｔｅｒ）、ＧＳＭ（Ｇｌｏｂａｌ  Ｓｙｓｔｅｍ  ｆｏｒ  Ｍｏｂｉｌｅ）携帯電話、Ｗ−ＣＤＭＡ（Ｗｉｄｅｂａｎｄ
ＣＤＭＡ）電話、ＣＤＭＡ−２０００電話、ＭＢＳ（Ｍｏｂｉｌｅ  Ｂｒｏａｄｂａｎｄ  Ｓｙｓｔｅｍ）電話、ノート型コンピュータ又はラップトップコンピュータであることを特徴とする請求項1ないし６のいずれかに記載のロケーションベースサービスの最適化システム。
【請求項８】
前記移動通信網が、同期式移動通信網、非同期式移動通信網及び第４世代ＡＬＬ−ＩＰ通信網を含むことを特徴とする請求項1ないし７のいずれかに記載のロケーションベースサービスの最適化システム。
【請求項９】
前記移動通信網が、同期式移動通信網の場合には、前記基地局伝送器がＢＴＳ（Ｂａｓｅ  Ｔｒａｎｓｃｅｉｖｅｒ  Ｓｔａｔｉｏｎ）で、前記基地局制御機がＢＳＣ（Ｂａｓｅ  Ｓｔａｔｉｏｎ  Ｃｏｎｔｒｏｌｌｅｒ）であり、非同期式移動通信網の場合には、前記基地局伝送器がＲＴＳ（Ｒａｄｉｏ  Ｔｒａｎｓｃｅｉｖｅｒ  Ｓｕｂｓｙｓｔｅｍ）で、前記基地局制御機がＲＮＣ（Ｒａｄｉｏ  Ｎｅｔｗｏｒｋ  Ｃｏｎｔｒｏｌｌｅｒ）に置換可能であることを特徴とする請求項1ないし８のいずれかに記載のロケーションベースサービスの最適化システム。
【請求項１０】
前記位置決めサーバーが、一つ以上の無線基地局の識別コード別に前記ＭＡＲ値が割り当てられているＭＡＲ値テーブルを格納しているＭＡＲ値データベースと連動することを特徴とする請求項1ないし９のいずれかに記載のロケーションベースサービスの最適化システム。
【請求項１１】
前記位置決めサーバーが、新しく更新されたＭＡＲ値を用いて、前記ＭＡＲ値テーブルを更新して前記ＭＡＲ値データベースに格納することを特徴とする請求項1０に記載のロケーションベースサービスの最適化システム。
【請求項１２】
前記位置決めサーバーが、前記テスト用端末から受信する前記ＭＡＲ値最適化用データを格納するＭＡＲ値最適化用データベースと連動することを特徴とする請求項1ないし１１のいずれかに記載のロケーションベースサービスの最適化システム。
【請求項１３】
前記ＭＡＲ値最適化用データベースが、前記ＭＡＲ値最適化用データの測定日時、測定時刻及び無線基地局の識別コードの中の少なくとも一つの基準によって分類された前記ＭＡＲ値最適化用データを格納することを特徴とする請求項1２に記載のロケーションベースサービスの最適化システム。
【請求項１４】
前記位置決めサーバーが、前記ＧＰＳ人工衛星の識別コードによって位置情報をリアルタイムで監視する基準ＧＰＳアンテナと連動することを特徴とする請求項1ないし１３のいずれかに記載のロケーションベースサービスの最適化システム。
【請求項１５】
基地局アンテナがカバーする最大半径（ＭＡＲ）値を調節してロケーションベースのサービスを最適化するべく、
Ｃ（Ｃｏｎｖｅｎｔｉｏｎａｌ）−ＧＰＳ（Ｇｌｏｂａｌ  Ｐｏｓｉｔｉｏｎｉｎｇ  Ｓｙｓｔｅｍ）方式及びＡ（Ａｓｓｉｓｔｅｄ）−ＧＰＳ方式を用いてＧＰＳ信号を受信するテスト用端末と、ＭＡＲ値が設定されている無線基地局及び移動交換局を含む移動通信網と、前記無線基地局の位置情報及び前記ＭＡＲ値が格納されているＭＡＲ値データベースと連動して前記ＭＡＲ値を再設定する位置決めサーバーと、を含むロケーションベースサービスの最適化システムにおいて： 
前記テスト用端末から伝送されるＣ−ＧＰＳ位置情報及びＡ−ＧＰＳデータを受信して格納する第１のステップと、
前記無線基地局別に前記Ｃ−ＧＰＳ位置情報及び前記Ａ−ＧＰＳデータを分析してＭＡＲ値最適化対象を判断する第２のステップと、
組み込まれたＭＡＲ値最適化アルゴリズムを用いて、新たなＭＡＲ値を演算する第３のステップと、
前記新たなＭＡＲ値を該当無線基地局の最適化ＭＡＲ値として設定して、前記ＭＡＲ値データベースに格納する第４のステップと、
を含むことを特徴とするロケーションベースサービスの最適化方法。
【請求項１６】
前記Ｃ−ＧＰＳ位置情報には、前記ＧＰＳ信号を受信した一つ以上のＧＰＳ人工衛星の緯度、経度及び個数情報が含まれていることを特徴とする請求項1５に記載のロケーションベースサービスの最適化方法。
【請求項１７】
前記Ａ−ＧＰＳデータには、ＧＰＳ人工衛星の識別コード、個数、測定時刻、前記ＧＰＳ信号の強さ、擬似距離（Ｐｓｅｕｄｏｒａｎｇｅ）、ＮＩＤ（ネットＩＤ）及びＢＳＩＤ（Ｂａｓｅｄ  Ｓｔａｔｉｏｎ  ＩＤ）が含まれていることを特徴とする請求項1５に記載のロケーションベースサービスの最適化方法。
【請求項１８】
前記ＢＳＩＤが、前記Ｃ−ＧＰＳ位置情報を伝送したテスト用端末が位置した無線基地局の識別コード情報であることを特徴とする請求項1７に記載のロケーションベースサービスの最適化方法。
【請求項１９】
前記第１のステップにて、前記位置決めサーバーが、受信した前記Ｃ−ＧＰＳ位置情報及び前記Ａ−ＧＰＳデータをＭＡＲ値最適化用データベースに格納することを特徴とする請求項1５ないし１８のいずれかに記載のロケーションベースサービスの最適化方法。
【請求項２０】
前記位置決めサーバーが、前記Ｃ−ＧＰＳ位置情報及び前記Ａ−ＧＰＳデータを無線基地局の識別コード別に分類して、前記ＭＡＲ値最適化用データベースに格納することを特徴とする請求項1９に記載のロケーションベースサービスの最適化方法。
【請求項２１】
前記第２のステップにて、前記ＭＡＲ値最適化対象が、前記Ｃ−ＧＰＳ位置情報に含まれる前記ＧＰＳ人工衛星の個数が予め決められた個数以上で、前記Ａ−ＧＰＳデータに含まれる前記ＧＰＳ人工衛星の個数が予め決められた個数未満である一つ以上の測定地点に隣接し又は管轄する無線基地局であることを特徴とする請求項1５ないし２０のいずれかに記載のロケーションベースサービスの最適化方法。
【請求項２２】
前記ＭＡＲ値最適化アルゴリズムが、前記無線基地局と測定地点の各々との間の距離値のうち、最大距離値を前記新たなＭＡＲ値として設定するアルゴリズムであることを特徴とする請求項1５ないし２１のいずれかに記載のロケーションベースサービスの最適化方法。
【請求項２３】
前記ＭＡＲ値最適化アルゴリズムが、前記無線基地局の緯経度座標と測定地点の各々の緯経度座標との間の距離値を計算して前記最大距離値を取得することを特徴とする請求項１５ないし２２のいずれかに記載のロケーションベースサービスの最適化方法。
【請求項２４】
測定地点の各々の緯経度座標が、前記位置決めサーバーが受信したＣ−ＧＰＳ位置情報に含まれていることを特徴とする請求項１５ないし２３のいずれかに記載のロケーションベースサービスの最適化方法。
【発明の詳細な説明】
【技術分野】
【０００１】
本発明は、基地局電波の最大半径値を調節し、ロケーションベースのサービスを最適化する方法及びそのシステムに関する。
【背景技術】
【０００２】
最近、インターネットなどの通信サービスを、サービスを受けるユーザの場所にかかわらずに提供するために数多の企業が無線インターネットという新技術の開発に拍車をかけている。無線インターネットとは、ユーザが移動中、無線の通信網などを通じてインターネット・サービスを利用できる環境と技術をいう。携帯電話関連技術の発達と携帯電話普及率の飛躍的な増加に伴って、そのような無線インターネット環境の発展はより一層進められている。
【０００３】
一方、携帯電話、ＰＤＡ（Ｐｅｒｓｏｎａｌ  Ｐｅｒｓｏｎａｌ  Ｄｉｇｉｔａｌ  Ａｓｓｉｓｔａｎｔ）等の携帯情報端末、ひいてはノート型ＰＣ（Ｐｅｒｓｏｎａｌ  Ｃｏｍｐｕｔｅｒ）などの持ち運びの可能な移動通信端末を用いる多様な無線インターネット・サービスのうち、特に、ロケーションベースのサービス（Ｌｏｃａｔｉｏｎ−Ｂａｓｅｄ  Ｓｅｒｖｉｃｅ、以後、ＬＢＳとも称する。）はその広い活用性及び便利さによって大きく脚光を浴びている。具体的には例えば、ＬＢＳは救助要請、犯罪申告への対応、隣接地域情報提供の地理情報システム（ＧＩＳ）、位置に応じた移動通信料金の差別化、交通情報、車両ナビゲーション、物流管制、位置情報に基づく顧客関係性マネージメント（Ｃｕｓｔｏｍｅｒ  Ｒｅｌａｔｉｏｎｓｈｉｐ  Ｍａｎａｇｅｍｅｎｔ、ＣＲＭ）等、多様な分野や状況に用いられている。
【０００４】
このようなＬＢＳを用いるためには、移動通信端末の位置を把握することが必須である。現在、移動通信端末の位置を把握する方法としては、Ｇｌｏｂａｌ  Ｐｏｓｉｔｉｏｎｉｎｇ  Ｓｙｓｔｅｍ（以後、単にＧＰＳと称する。）を用いる方法が主である。
【０００５】
ＧＰＳは、高度約２０，０００キロメートルの上空で地球の軌道上を回る、２４個のＧＰＳ衛星を用いて、全世界どこでも位置の把握ができるシステムである。ＧＰＳは、１.５ＧＨｚ帯域の電波を使用し、地上にはコントロール・ステーションという調整センターがあり、ＧＰＳ衛星から送られてきた情報を収集して伝送時刻を同期させる。ユーザはＧＰＳ受信機によって自身の現在位置を把握することができる。ＧＰＳシステムを用いる位置把握方法として、一般に三角測量法が使われている。この三角測量法には、３個の衛星と、これに加えて時間誤りの補正のための１個の観測用衛星とを加えた総計４個のＧＰＳ衛星が必要である。
【０００６】
しかしながら、高層ビルの多い都心などでは、多重経路または可視衛星の不足により位置決め能力が制限され、トンネルや建物地下のように衛星が見えない所（電波が到達しない所）では正確な側位が殆ど不可能であるという問題点がある。また、ＧＰＳ受信機が最初に自身の位置を決定するために要求される時間であるＴＴＦＦ（Ｔｉｍｅ  Ｔｏ  Ｆｉｒｓｔ  Ｆｉｘ）が、数分から１０分以上を要する場合が発生し、位置基盤無線インターネットのサービス利用者に対して不便を与えるという不都合がある。
【０００７】
このようなＧＰＳ方式の短所を補完するために、ＧＰＳ方式に無線通信網の資源を組み合わせて移動通信端末の位置を決定するＡ−ＧＰＳ（Ａｓｓｉｓｔｅｄ−ＧＰＳ、以後、単にＡ−ＧＰＳと称する。）方式が開発されて使われている。このＡ−ＧＰＳ方式において、移動通信端末はＧＰＳ人工衛星及び無線通信網から同時に位置決めに必要な情報を収集するので、緯度、経度及び高度の座標を用いて３次元的に位置決めが可能である。無線通信網と移動通信端末とはＩＳ（Ｉｎｔｅｒｉｍ  Ｓｔａｎｄａｒｄ）−８０１−１規格に定義されたパラメーターを用いてデータやメッセージを送受信する。
【０００８】
一方、現在符号分割多元接続（Ｃｏｄｅ  Ｄｉｖｉｓｉｏｎ  Ｍｕｌｔｉｐｌｅ  Ａｃｃｅｓｓ、以後、単にＣＤＭＡと称する。）方式の通信網において、一つの無線基地局は基地局アンテナの最大半径（Ｍａｘｉｍｕｍ  Ａｎｔｅｎｎａ  Ｒａｎｇｅ、以後、ＭＡＲとも称する。）値に該当するエリアをカバーする。ここで、ＭＡＲとは基地局アンテナから送出された電波が到達する最大距離を半径とするエリアをいう。
【０００９】
しかしながら、ＭＡＲを基準として無線基地局を設けて全国のあらゆる地域をカバーする方法では、無線基地局の設置費用が増大する等の短所がある。具体的には、現在移動通信網に設置されている無線基地局のＭＡＲ値は、３Ｋｍまたは５Ｋｍに一律的に設定されている。したがって、現在の移動通信網において良質のＬＢＳサービスを提供するためには、ＭＡＲ値のカバーするエリア単位ごとに、無線基地局が設置されなければならない。
【００１０】
しかし、無線基地局の設置に相当な費用を要する関係で、現在移動通信網は、無線基地局と光ケーブルを介して連結される一つ以上の光中継器を用いて無線基地局の音声呼出やデータ呼出のサービス範囲を広げる構造になっている。ここで、光中継器は光ケーブルを介して連結される無線基地局と同じ識別コードを使用するため、移動通信端末が光中継器の管轄エリア内に位置している場合、無線基地局の識別コードを位置決めサーバーへ伝送するようになる。
【００１１】
したがって、現在の移動通信網において移動通信端末が光中継器が管轄するエリアにある場合、Ａ−ＧＰＳ方式を用いて移動通信端末の位置を決定するのが非常に困難になる問題点が生じる。具体的には、Ａ−ＧＰＳ方式では、移動通信端末にはＧＰＳ受信機が組み込まれていない。移動通信端末は、自身の位置しているエリアの無線基地局の識別コード（Ａｄｄｒｅｓｓ）を取得して移動通信網を通じて位置決めサーバーへ伝送する。この位置決めサーバーは、移動通信網を通じて受信した無線基地局の識別コードを確認し、該当無線基地局に設定されているＭＡＲ値を確認する。
【００１２】
その次に位置決めサーバーは、確認したＭＡＲ値を基準として該当無線基地局のエリア内において、ＧＰＳ信号の受信が可能なＧＰＳ人工衛星の座標情報を抽出して補助データとして移動通信網を通じて移動通信端末へ伝送する。移動通信網を通じて補助データを受信した移動通信端末は、該補助データに含まれているＧＰＳ人工衛星の座標情報を用いてＧＰＳ信号を検索する。
【００１３】
したがって、Ａ−ＧＰＳ方式において、移動通信端末が受信するＧＰＳ人工衛星の座標情報は、移動通信端末が該当無線基地局に設定されたＭＡＲ値を半径とするエリア内に位置している場合のみに、有効な情報として利用されることができる。具体的には、移動通信端末が無線基地局の管轄エリアの境界地域や、無線基地局と同じ識別コードを用いる光中継器の管轄エリア内に位置している場合には、受信する補助データが不適切で利用価値がなくなる。このような場合、移動通信端末は不適切なＧＰＳ人工衛星の座標情報を用いてＧＰＳ信号を検索するため、位置決めが正確に行われないという不都合をきたす。
【発明の開示】
【発明が解決しようとする課題】
【００１４】
すなわち、従来のＬＢＳシステムでは、各無線基地局のＭＡＲ値が一律的に決まり、Ａ−ＧＰＳ方式での位置決めが失敗する場合がしばしば発生した。
そこで、本発明は、このような問題に鑑みてなされたもので、その目的とするところは、無線基地局のアンテナがカバーするＭＡＲ値を所定の値に調節してＬＢＳシステムを最適化する方法及びそのシステムを提供することにある。
【課題を解決するための手段】
【００１５】
上記課題を解決するために、本発明のある観点によれば、基地局アンテナがカバーする最大半径（ＭＡＲ）値を調節してロケーションベースのサービスを最適化するべく、一つ以上の測定地点ごとにＣ（Ｃｏｎｖｅｎｔｉｏｎａｌ）−ＧＰＳ（Ｇｌｏｂａｌ  Ｐｏｓｉｔｉｏｎｉｎｇ  Ｓｙｓｔｅｍ）方式及びＡ（Ａｓｓｉｓｔｅｄ）−ＧＰＳ方式を用いて一つ以上のＧＰＳ人工衛星から受信されたＣ−ＧＰＳ位置情報及びＡ−ＧＰＳデータを含むＭＡＲ値最適化用データを伝送するテスト用端末と、予め設定されたＭＡＲ値を格納しており、テスト用端末に対して信号及びデータのやり取りを行う基地局伝送器と、基地局伝送器から送出される信号を受信して処理する基地局制御機及び基地局制御機と接続される移動交換局と、移動通信網を通じてＭＡＲ値最適化用データを受信し、該受信したＭＡＲ値最適化用データを分析し、ＭＡＲ値最適化条件に該当する無線基地局のＭＡＲ値を更新して、ロケーションベースのサービスを最適化する位置決めサーバーとを含むことを特徴とするロケーションベースサービスの最適化システムが提供される。
【００１６】
上記発明によれば、テスト用端末から送信されたＣ−ＧＰＳ位置情報及びＡ−ＧＰＳデータを含むＭＡＲ値最適化要データを用いて、位置決めサーバーがＭＡＲ値最適化条件に該当する無線基地局のＭＡＲ値を更新することによって、全ての無線基地局のアンテナが管轄するＭＡＲ値が一律に設定されるのではなく各々の無線基地局によってその値が最適化される。その結果、ロケーションベースサービスを最適化することができる。
【００１７】
上記位置決めサーバーは、基地局伝送器を含む無線基地局と各々の測定地点との間の距離値のうち、最大距離値を新たなＭＡＲ値として設定するＭＡＲ値最適化アルゴリズムを組み込むように構成されてもよい。かかる構成によれば、無線基地局から最も離れた測定地点までをかかる無線基地局の管轄エリアに含めることができる。
【００１８】
上記ＭＡＲ値最適化アルゴリズムが、基地局伝送器を含む無線基地局の緯経度座標と測定地点の各々の緯経度座標との間の距離値を計算して最大距離値を取得するように構成されてもよい。かかる構成によれば、無線基地局から最も離れた測定地点をその緯経度座標によって求め、求められた最も離れた測定地点までをかかる無線基地局の管轄エリアに含めることができる。
【００１９】
上記測定地点の各々の緯経度座標が、位置決めサーバーが受信したＣ−ＧＰＳ位置情報に含まれるように構成されてもよい。かかる構成により、Ｃ−ＧＰＳ位置情報を送信するテスト端末の緯経度座標を測定地点の緯経度座標として取得することができるため、ほぼ正確な緯経度座標を取得することができる。
【００２０】
上記テスト用端末が、Ｃ−ＧＰＳ受信機を組み込むように構成されてもよい。かかる構成により、テスト用端末が送信するべきＣ−ＧＰＳ位置情報を、他の端末等を使用することなくテスト用端末自身が取得することができる。
【００２１】
上記テスト用端末が、Ａ−ＧＰＳ受信モジュールを組み込むように構成されてもよい。かかる構成により、テスト用端末が送信するべきＡ−ＧＰＳデータを、他の端末等を使用することなくテスト用端末自身が取得することができる。
【００２２】
上記テスト用端末が、ＰＤＡ（Ｐｅｒｓｏｎａｌ  Ｄｉｇｉｔａｌ  Ａｓｓｉｓｔａｎｔ）、携帯電話、ＰＣＳ（Ｐｅｒｓｏｎａｌ  Ｃｏｍｍｕｎｉｃａｔｉｏｎ  Ｓｅｒｖｉｃｅ）電話、携帯用ＰＣ（Ｐｅｒｓｏｎａｌ  Ｃｏｍｐｕｔｅｒ）、ＧＳＭ（Ｇｌｏｂａｌ  Ｓｙｓｔｅｍ  ｆｏｒ  Ｍｏｂｉｌｅ）携帯電話、Ｗ−ＣＤＭＡ（Ｗｉｄｅｂａｎｄ
ＣＤＭＡ）電話、ＣＤＭＡ−２０００電話、ＭＢＳ（Ｍｏｂｉｌｅ  Ｂｒｏａｄｂａｎｄ  Ｓｙｓｔｅｍ）電話、ノート型コンピュータ又はラップトップコンピュータであってもよい。かかる構成により、ロケーションベースサービスの最適化システムを、同期式移動通信システム及び非同期式移動通信システムのみならず、第４世代ＡＬＬ−ＩＰシステムなどにも適用することができる。
【００２３】
上記移動通信網が、同期式移動通信網、非同期式移動通信網及び第４世代ＡＬＬ−ＩＰ通信網を含んでもよい。かかる構成により、ロケーションベースサービスの最適化システムを、同期式移動通信システム及び非同期式移動通信システムのみならず、第４世代ＡＬＬ−ＩＰシステムなどにも適用することができる。
【００２４】
上記移動通信網が、同期式移動通信網の場合には、基地局伝送器がＢＴＳ（Ｂａｓｅ  Ｔｒａｎｓｃｅｉｖｅｒ  Ｓｔａｔｉｏｎ）で、基地局制御機がＢＳＣ（Ｂａｓｅ  Ｓｔａｔｉｏｎ  Ｃｏｎｔｒｏｌｌｅｒ）であり、非同期式移動通信網の場合には、基地局伝送器がＲＴＳ（Ｒａｄｉｏ  Ｔｒａｎｓｃｅｉｖｅｒ  Ｓｕｂｓｙｓｔｅｍ）で、基地局制御機がＲＮＣ（Ｒａｄｉｏ  Ｎｅｔｗｏｒｋ  Ｃｏｎｔｒｏｌｌｅｒ）に置換可能であってもよい。かかる構成により、ロケーションベースサービスの最適化システムを、同期式移動通信システムから非同期式移動通信システムに容易に移行することができる。
【００２５】
上記位置決めサーバーが、一つ以上の無線基地局の識別コード別にＭＡＲ値が割り当てられているＭＡＲ値テーブルを格納しているＭＡＲ値データベースと連動するように構成されてもよい。かかる構成により、識別コードによって無線基地局を識別し、ＭＡＲ値の最適化が必要な無線基地局に関する情報を容易に取得することができる。
【００２６】
上記位置決めサーバーが、新しく更新されたＭＡＲ値を用いて、ＭＡＲ値テーブルを更新してＭＡＲ値データベースに格納することを特徴とする請求項1０に記載のロケーションベースサービスの最適化システム。かかる構成により、ＭＡＲ値テーブル上で更新されたＭＡＲ値を用いて無線基地局のＭＡＲ値の最適化を行うことができる。
【００２７】
上記位置決めサーバーが、テスト用端末から受信するＭＡＲ値最適化用データを格納するＭＡＲ値最適化用データベースと連動するように構成されてもよい。かかる構成により、位置決めサーバーがＭＡＲ値最適化用データベースに格納されている各無線基地局のＭＡＲ値最適化用データを用いてかかる無線基地局に対して最適なＭＡＲ値を算出することができる。
【００２８】
上記ＭＡＲ値最適化用データベースが、ＭＡＲ値最適化用データの測定日時、測定時刻及び無線基地局の識別コードの中の少なくとも一つの基準によって分類されたＭＡＲ値最適化用データを格納するように構成されてもよい。かかる構成により、ＭＡＲ値の最適化を行う際に適切なＭＡＲ値最適化用データを、測定日時、測定時刻または無線基地局の識別コードなどに基づいて選択することができる。
【００２９】
上記位置決めサーバーが、ＧＰＳ人工衛星の識別コードによって位置情報をリアルタイムで監視する基準ＧＰＳアンテナと連動するように構成されてもよい。かかる構成により、あらゆるＧＰＳ人工衛星１０２をリアルタイムにモニタする基準ＧＰＳアンテナが取得可能なＧＰＳ人工衛星の軌距離情報をＭＡＲ値の最適化に利用することができる。
【００３０】
上記課題を解決するために、本発明の別の観点によれば、基地局アンテナがカバーする最大半径（ＭＡＲ）値を調節してロケーションベースのサービスを最適化するべく、Ｃ（Ｃｏｎｖｅｎｔｉｏｎａｌ）−ＧＰＳ方式及びＡ（Ａｓｓｉｓｔｅｄ）−ＧＰＳ方式を用いてＧＰＳ信号を受信するテスト用端末と、ＭＡＲ値が設定されている無線基地局及び移動交換局を含む移動通信網と、無線基地局の位置情報及びＭＡＲ値が格納されているＭＡＲ値データベースと連動してＭＡＲ値を再設定する位置決めサーバーと、を含むロケーションベースサービスの最適化システムにおいて、テスト用端末から伝送されるＣ−ＧＰＳ位置情報及びＡ−ＧＰＳデータを受信して格納する第１のステップと、無線基地局別にＣ−ＧＰＳ位置情報及びＡ−ＧＰＳデータを分析してＭＡＲ値最適化対象を判断する第２のステップと、組み込まれたＭＡＲ値最適化アルゴリズムを用いて、新たなＭＡＲ値を演算する第３のステップと、新たなＭＡＲ値を該当無線基地局の最適化ＭＡＲ値として設定して、ＭＡＲ値データベースに格納する第４のステップと、を含むことを特徴とするロケーションベースサービスの最適化方法が提供される。
【００３１】
上記発明によれば、テスト用端末から送信されたＣ−ＧＰＳ位置情報及びＡ−ＧＰＳデータを含むＭＡＲ値最適化要データを用いて、位置決めサーバーがＭＡＲ値最適化条件に該当する無線基地局のＭＡＲ値を更新することによって、全ての無線基地局のアンテナがカバーするＭＡＲ値が一律に設定されるのではなく各々の無線基地局によってその値が最適化される。その結果、ロケーションベースサービスを最適化することができる。
【００３２】
上記Ｃ−ＧＰＳ位置情報には、ＧＰＳ信号を受信した一つ以上のＧＰＳ人工衛星の緯度、経度及び個数情報が含まれていてもよい。
【００３３】
上記Ａ−ＧＰＳデータには、ＧＰＳ人工衛星の識別コード、個数、測定時刻、ＧＰＳ信号の強さ、擬似距離（Ｐｓｅｕｄｏｒａｎｇｅ）、ＮＩＤ（ネットＩＤ）及びＢＳＩＤ（Ｂａｓｅｄ  Ｓｔａｔｉｏｎ  ＩＤ）が含まれてもよい。
【００３４】
上記ＢＳＩＤが、Ｃ−ＧＰＳ位置情報を伝送したテスト用端末が位置した無線基地局の識別コード情報であってもよい。かかる構成により、位置決めサーバーが、ＭＡＲ値最適化を行うべき無線基地局を識別コードによって判断することができる。
【００３５】
上記第１のステップにて、位置決めサーバーが、受信したＣ−ＧＰＳ位置情報及びＡ−ＧＰＳデータをＭＡＲ値最適化用データベースに格納するようにしてもよい。かかる構成により、位置決めサーバーは、ＭＡＲ値最適化用データベースに格納しておいたＣ−ＧＰＳ位置情報及びＡ−ＧＰＳデータに基づいてＭＡＲ値の最適化を行うことができる。
【００３６】
上記位置決めサーバーが、Ｃ−ＧＰＳ位置情報及びＡ−ＧＰＳデータを無線基地局の識別コード別に分類して、ＭＡＲ値最適化用データベースに格納するようにしてもよい。
【００３７】
上記第２のステップにて、ＭＡＲ値最適化対象が、Ｃ−ＧＰＳ位置情報に含まれるＧＰＳ人工衛星の個数が予め決められた個数以上で、Ａ−ＧＰＳデータに含まれるＧＰＳ人工衛星の個数が予め決められた個数未満である一つ以上の測定地点に隣接し又は管轄する無線基地局であってもよい。かかる構成により、Ｃ−ＧＰＳ位置情報の受信状態は良いが、Ａ−ＧＰＳデータの受信状態が良くない地点に隣接し又はその地点を管轄する無線基地局をＭＡＲ値最適化対象にすることができる。なお、予め決めたれた個数は、任意に設定可能である。
【００３８】
上記ＭＡＲ値最適化アルゴリズムが、無線基地局と測定地点の各々との間の距離値のうち、最大距離値を新たなＭＡＲ値として設定するアルゴリズムであってもよい。
【００３９】
上記ＭＡＲ値最適化アルゴリズムが、無線基地局の緯経度座標と測定地点の各々の緯経度座標との間の距離値を計算して最大距離値を取得するようにしてもよい。
【００４０】
上記測定地点の各々の緯経度座標が、位置決めサーバーが受信したＣ−ＧＰＳ位置情報に含まれていてもよい。
【００４１】
上記構成によれば、無線基地局と光ケーブルを介して接続された光中継器が管轄するエリアに位置したＡ−ＧＰＳ移動通信端末の位置決めを正確にするために、Ａ−ＧＰＳ移動通信端末がより多数の衛星信号を受信することができるように無線基地局のアンテナが管轄するＭＡＲ値を所定の値に調節することによって、ＬＢＳシステムを最適化することができる。
【発明の効果】
【００４２】
以上説明したように本発明によれば、無線基地局のアンテナが管轄するＭＡＲ値を所定の値に調節してＬＢＳシステムを最適化することができる。
【発明を実施するための最良の形態】
【００４３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００４４】
図１は、本発明の実施形態にかかるＬＢＳ最適化システム１００を示す概略ブロック図である。
【００４５】
本実施形態にかかるＬＢＳ最適化システム１００は、多数のＧＰＳ人工衛星１０２、テスト用端末１１０、基地局伝送器１２０（ｂａｓｅ  ｔｒａｎｓｃｅｉｖｅｒ  ｓｔａｔｉｏｎ、以後、ＢＴＳ１２０とも称する。）、光中継器１２２、基地局制御機１３０（以後、ＢＳＣ１３０とも称する。）、移動交換局１４０（ＭＳＣ）、信号伝送点１５０及び基準ＧＰＳアンテナ１７０と接続された位置決めサーバー１６０（Ｐｏｓｉｔｉｏｎｉｎｇ  Ｄｅｔｅｒｍｉｎａｔｉｏｎ  Ｅｎｔｉｔｙ）、ＭＡＲ値データベース１６２、ＭＡＲ値最適化用データベース１６４及び基準ＧＰＳアンテナ１７０などを備える。
【００４６】
テスト用端末１１０は、例えば、ＧＰＳアンテナ、ＧＰＳ受信機などとを備える。ＧＰＳアンテナは、一つ以上のＧＰＳ人工衛星１０２からＧＰＳ信号を受信して該信号に含まれているナビゲーションデータを抽出し、該抽出したナビゲーションデータを移動通信網を介して位置決めサーバー１６０へ伝送する機能を有する。本実施形態によるテスト用端末１１０は、移動通信システムでのＭＡＲ値を最適化するためのもので、車両などの移動手段により移動しながら、ＭＡＲ値の最適化作業に必要なデータを収集して後述する位置決めサーバー１６０へ伝送する機能を果たす。
【００４７】
ここで、本実施形態によるテスト用端末１１０は、Ａ−ＧＰＳ方式やＣ−ＧＰＳ方式を用いて自身の位置決めをすることが可能な移動通信端末である。即ち、テスト用端末１１０はＣ−ＧＰＳ方式のためのＣ−ＧＰＳ受信機とＡ−ＧＰＳのためのＡ−ＧＰＳ受信モジュールとを共に組み込んでいる。
【００４８】
参考として、Ｃ−ＧＰＳ方式とＡ−ＧＰＳ方式の長所及び短所について説明する。Ｃ−ＧＰＳ方式は通信網の助けを受けないで自主的に比較的正確な位置決めが可能で、主に開豁地環境で正常に位置決めが可能である。一方でＣ−ＧＰＳ方式のシステムにおいては、端末の電力消耗が大きく、ＴＩＦＦに最大１０分程度を要する。また、単独のＣ−ＧＰＳ受信機が必要である。
【００４９】
これに対し、Ａ−ＧＰＳ方式は建物内など、ＧＰＳ衛星信号がほとんど捕えられない所でも、通信網の助けで位置決めが可能で、Ｃ−ＧＰＳ方式に比べて位置精度が高いという長所がある。また、端末の電力消耗が少なく、ＴＩＦＦが数秒内と短くて、Ａ−ＧＰＳ受信チップとモデムチップとを一体とすることができるため端末の製作費用が軽減するという長所がある。すなわち、Ａ−ＧＰＳ方式はＧＰＳ人工衛星を用いるＣ−ＧＰＳ方式とＣＤＭＡ通信網を用いるネットワーク基盤方式とを組み合わせた位置追跡方式といえる。
【００５０】
テスト用端末１１０はＡ−ＧＰＳ方式を用いて周期的に取得する人工衛星識別コード、衛星の数、時刻、衛星信号の強さ、擬似距離（Ｐｓｅｕｄｏｒａｎｇｅ）、ＮＩＤ（ネットＩＤ）、ＢＳＩＤ（Ｂｓａｅ  Ｓｔａｔｉｏｎ  ＩＤ）などを含むＡ−ＧＰＳデータと、Ｃ−ＧＰＳ方式を用いて周期的に獲得するＣ−ＧＰＳ位置情報（緯度、経度、衛星数等）を移動通信網を介して位置決めサーバー１６０へ伝送する。
【００５１】
本実施形態によって、テスト用端末１１０がＣ−ＧＰＳ位置情報及びＡ−ＧＰＳデータを取得する過程について詳細に説明する。テスト用端末１１０は、Ｃ−ＧＰＳ受信機を用いて一定位置ごとにＧＰＳ信号を検索し、Ｃ−ＧＰＳ位置情報等の検索結果を内部のメモリに一時的に格納する。
【００５２】
また、Ａ−ＧＰＳ方式を用いて位置データを取得するために、テスト用端末１１０は概略位置情報（無線基地局の識別コード）を移動通信網を介して位置決めサーバー１６０へ伝送する。この位置決めサーバー１６０は、テスト用端末１１０から受信した概略位置情報を用いて適切な補助データを検索し、該検索した補助データを移動通信網を通じてテスト用端末１１０へ伝送する。ここで、位置決めサーバー１６０の伝送する補助データとは、テスト用端末１１０によって伝送された無線基地局の識別コードを用いて抽出した一つ以上のＧＰＳ人工衛星の座標情報をいう。また、一つ以上のＧＰＳ人工衛星の座標情報とは、テスト用端末１１０が位置する地点で観測可能であると判断されたＧＰＳ人工衛星の座標情報をいう。
【００５３】
位置決めサーバー１６０から所定の補助データを受信したテスト用端末１１０は、受信した補助データを用いて該当ＧＰＳ人工衛星１０２のＧＰＳ信号を探索して受信する。テスト用端末１１０はＣ−ＧＰＳ方式でＣ−ＧＰＳ位置情報を取得した場所と同じ場所ごとに、Ａ−ＧＰＳ受信チップを用いてＧＰＳ信号を検索し、該検索結果としてのＡ−ＧＰＳデータを内部メモリに一時的に格納する。テスト用端末１１０は、Ｃ−ＧＰＳ方式及びＡ−ＧＰＳ方式を用いて取得したＣ−ＧＰＳ位置情報及びＡ−ＧＰＳデータ（以後、Ｃ−ＧＰＳ位置情報及びＡ−ＧＰＳデータを、ＭＡＲ値最適化用データと称する。）を、組み込まれた無線モデムを用いて位置決めサーバー１６０へ周期的に伝送する。
【００５４】
一方、本実施形態によるテスト用端末１１０としては、ＰＤＡ（Ｐｅｒｓｏｎａｌ  Ｄｉｇｉｔａｌ  Ａｓｓｉｓｔａｎｔ）等の携帯端末、携帯電話、ＰＣＳ（Ｐｅｒｓｏｎａｌ  Ｃｏｍｍｕｎｉｃａｔｉｏｎ  Ｓｅｒｖｉｃｅ）電話、携帯用ＰＣ（Ｐｅｒｓｏｎａｌ  Ｃｏｍｐｕｔｅｒ）、 ＧＳＭ（Ｇｌｏｂａｌ  Ｓｙｓｔｅｍ  ｆｏｒ  Ｍｏｂｉｌｅ）携帯電話、Ｗ−ＣＤＭＡ（Ｗｉｄｅｂａｎｄ  ＣＤＭＡ）電話、ＣＤＭＡ−２０００電話、ＭＢＳ（Ｍｏｂｉｌｅ  Ｂｒｏａｄｂａｎｄ  Ｓｙｓｔｅｍ）電話、ノート型コンピュータ及びラップトップコンピュータなどを例示することができる。ここで、ＭＢＳ電話は第４世代システムで使われうる携帯電話をいう。即ち、本実施形態によるＭＡＲ値最適化方法は、同期式移動通信システム及び非同期式移動通信システムのみならず、第４世代ＡＬＬ−ＩＰシステムなどにも適用することができる。
【００５５】
基地局伝送器１２０は、信号チャンネルの中のトラフィック・チャンネルを通じてテスト用端末１１０から呼出接続要求信号を受信して基地局制御機１３０へ伝送する。この基地局制御機１３０は基地局伝送器１２０を制御し、テスト用端末１１０への無線チャンネルの割当て及び解除、テスト用端末１１０及び基地局伝送器１２０の伝送出力制御、セル間ソフト・ハンドオフ及びハード・ハンドオフの決定、トランスコーディング及びボコーディング（Ｖｏｃｏｄｉｎｇ）、無線基地局の運用及びメンテナンスなどを行う。
【００５６】
また、本実施形態による基地局伝送器１２０及び基地局制御機１３０は、同期式移動通信システム及び非同期式移動通信システムを共に支援できる構成を有する。同期式移動通信システムの場合における基地局伝送器１２０（ＢＴＳ）、基地局制御機１３０（ＢＳＣ）は、非同期式移動通信システムの場合においては、無線伝送器（Ｒａｄｉｏ  Ｔｒａｎｓｃｅｉｖｅｒ  Ｓｕｂｓｙｓｔｅｍ、以後、ＲＴＳとも称する。）、無線制御機（Ｒａｄｉｏ  Ｎｅｔｗｏｒｋ  Ｃｏｎｔｒｏｌｌｅｒ、以後、ＲＮＣとも称する。）に置き換わる。勿論、本実施形態による基地局伝送器１２０及び基地局制御機１３０は上記に限定されるのではなく、ＣＤＭＡ網でない、ＧＳＭ網及び今後実現される第４世代移動通信システムの接続網を含んでもよい。
【００５７】
基地局伝送器１２０のアンテナから送出される電波は、ＭＡＲ値を半径とする図１中のエリアＡ内に位置しているテスト用端末１１０によって受信可能で、該エリアＡ内に位置しているテスト用端末１１０の呼出処理に用いられる。また、各々の基地局伝送器１２０ごとに設定されるＭＡＲ値は、位置決めサーバー１６０にセットされて格納される。現在、ＭＡＲ値は一般に都心地域でも田舎地域でも３Ｋｍまたは５Ｋｍに一律にセットされる。
【００５８】
光中継器１２２は、基地局伝送器１２０と光ケーブル１２１によって接続され、図１中のエリアＢ地域の移動通信サービスを管轄する。この光中継器１２２は、光ケーブル１２１を介して接続されている基地局伝送器１２０が含まれた無線基地局と同じ擬似雑音（ＰＮ）コードを有する。具体的には、ＣＤＭＡ通信網は、光中継器１２２を光ケーブル１２１によって接続された無線基地局と同じ無線基地局として認識する。このように光中継器１２２を利用すると、相当な設置費用（１無線基地局当たり５億ウォン以上）を要する基地局伝送器１２０を追加に設置するために必要な費用を節減するとともに、基地局伝送器１２０のサービスエリアを光中継器１２２のカバーエリア程度に広げることができるという長所がある。
【００５９】
移動交換局（ＭＳＣ）１４０は、各無線基地局の效率的な運用ができるように制御するとともに、公衆電話網に取り付けられた電子式交換機と連動する。この移動交換局１４０は、テスト用端末１１０から伝送されるデータやメッセージを基地局制御機１３０を介して受信し、該受信データを信号伝送点１５０（Ｓｉｇｎａｌ  Ｔｒａｎｓｆｅｒ  Ｐｏｉｎｔ、以後、ＳＴＰ１５０とも称する。）を通して位置決めサーバー１６０へ伝送する。移動交換局１４０は、基本及び付加サービス処理、加入者の着信呼出及び発信呼出処理、位置登録手順及びハンドオフ手順処理、他の通信網との連動などを行う。本実施形態による移動交換局１４０は例えば、ＩＳ−９５Ａ／Ｂ／Ｃシステムと、第３世代及び第４世代移動通信網を全て支援することができる。
【００６０】
信号伝送点（ＳＴＰ）１５０は、例えば、ＩＴＵ−Ｔの共通線信号方式において信号メッセージの中継及び交換を行う信号中継局である。このＳＴＰ１５０を用いて構成された信号網は、通話回線と信号回線とを対応づけない非対応モードによって運用され、各種信号は通話回線を有する交換局以外のＳＴＰ１５０を介して伝送されるので、経済性及び信頼性を共に向上させることができる。また、ＳＴＰ１５０は信号メッセージを変換し、信号中継が不可能な時、該信号メッセージを他の交換局に通知する機能も持つ。
【００６１】
位置決めサーバー１６０は、テスト用端末１１０から伝送されるＭＡＲ最適化用データを受信して分析し、ＭＡＲ最適化の作業が必要な無線基地局を把握してＭＡＲ最適化の作業を行う。位置決めサーバー１６０がＭＡＲ最適化作業を行った無線基地局のＭＡＲ値は、新たな値に更新され、ＭＡＲ値データベース１６２に格納される。位置決めサーバー１６０により行われるＭＡＲ最適化作業については後述する。
【００６２】
また、位置決めサーバー１６０は、Ａ−ＧＰＳ方式を用いた位置決め過程において一連の処理を行う。具体的には例えば、位置決めサーバー１６０はテスト用端末１１０から移動通信網を介して伝送されるＡ−ＧＰＳデータを用いて、テスト用端末１１０の経度及び緯度の座標を演算する。より詳細に説明すると、位置決めサーバー１６０はテスト用端末１１０から無線基地局の識別コードのような概略位置情報を受信すると、該当無線基地局にセットされているＭＡＲ値を、ＭＡＲ値データベース１６２を検索して読み出す。
【００６３】
該当無線基地局の位置情報及びＭＡＲ値を確認した位置決めサーバー１６０は、該当無線基地局によってＧＰＳ信号を受信することが可能なＧＰＳ人工衛星１０２の情報（座標情報、識別コード情報等）が含まれた、ＩＳ−８０１−１規格に定義されている「Ｐｒｏｖｉｄｅ  ＧＰＳ  ＡｃｑｕＩＳｔｉｏｎ  ＡｓｓＩＳｔａｎｃｅ」メッセージを、移動通信網を介してテスト用端末１１０へ伝送する。具体的には例えば、位置決めサーバー１６０はあらゆるＧＰＳ人工衛星１０２をリアルタイムにモニタする基準ＧＰＳアンテナ１７０からＧＰＳ人工衛星１０２の軌距離情報を受信する。その次に、テスト用端末１１０が位置する無線基地局の緯経度座標及びＭＡＲ値を用いて、テスト用端末１１０がＧＰＳ信号を十分に受信することが可能なＧＰＳ人工衛星１０２の情報を抽出する。位置決めサーバー１６０は、抽出したＧＰＳ人工衛星１０２の情報を「Ｐｒｏｖｉｄｅ  ＧＰＳ  ＡｃｑｕＩＳｔｉｏｎ  ＡｓｓＩＳｔａｎｃｅ」メッセージに含めてテスト用端末１１０へ伝送する。
【００６４】
このメッセージを受信したテスト用端末１１０は、該メッセージに含まれているＧＰＳ人工衛星１０２の情報を抽出し、該当ＧＰＳ人工衛星１０２から送出されるＧＰＳ信号を探索して受信する。
【００６５】
一つ以上のＧＰＳ人工衛星１０２からＧＰＳ信号を受信したテスト用端末１１０は、該受信ＧＰＳ信号を用いて、ＧＰＳ信号を受信した衛星の識別コード及び個数と、衛星信号の強さ及び擬似距離などを演算する。その次に、ＩＳ−８０１−１規格に定義されている「Ｐｒｏｖｉｄｅ  Ｐｓｅｕｄｏｒａｎｇｅ  Ｍｅａｓｕｒｅｍｅｎｔ」メッセージを用いて、Ａ−ＧＰＳデータを移動通信網を介して位置決めサーバー１６０へ伝送する。テスト用端末１１０から該メッセージを受信した位置決めサーバー１６０は、そのメッセージに含まれているデータを取捨選択してテスト用端末１１０の緯度及び経度座標を演算する。
【００６６】
ＭＡＲ値データベース１６２には、多数の無線基地局の識別コード別にセットされているＭＡＲ値テーブルが格納されている。したがって、位置決めサーバー１６０はテスト用端末１１０から無線基地局の識別コードが含まれたＡ−ＧＰＳ位置決め要求請信号を受信すると、ＭＡＲ値データベース１６２に格納されたＭＡＲ値テーブルを検索し、該当無線基地局のエリア内で十分に観測することが可能なＧＰＳ人工衛星の情報が含まれた補助データをテスト用端末１１０へ伝送する。
【００６７】
また、ＭＡＲ値データベース１６２は、位置決めサーバー１６０によりＭＡＲ値最適化作業が行われた無線基地局の新たなＭＡＲ値を受信し、ＭＡＲ値テーブルを更新して格納する。
【００６８】
ＭＡＲ値最適化用データベース１６４は、位置決めサーバー１６０がテスト用端末１１０から受信したＭＡＲ値最適化用データを格納する。ＭＡＲ値最適化用データベース１６４は、測定日時別、測定時間別、測定装備別、無線基地局別等でＭＡＲ値最適化用データを分類して格納する。したがって、位置決めサーバー１６０はＭＡＲ値最適化用データベース１６４を検索してＭＡＲ値最適化作業を行うことができる。
【００６９】
図２は、本実施形態によるＭＡＲ最適化について説明するための図である。
【００７０】
本実施形態にかかるＬＢＳ最適化システム１００よってＭＡＲ値を最適化するために、作業者は図１で説明したテスト用端末１１０を車両などの移動手段を用いて各無線基地局間を移動する。作業者は移動の際に一定時間ごとにテスト用端末１１０を用いて図１で説明した過程を経てＭＡＲ値最適化用データを取得する。ここで、ＭＡＲ値最適化用データを取得するための測定地点は、ＧＰＳ人工衛星の観測が容易な地点、即ちＧＰＳ衛星信号を容易に検索できる開豁地であることが好ましい。エリアＡ２１０からＭＡＲ値最適化用データの取得作業を始めた作業者は、毎測定地点ごとに取得したＭＡＲ値最適化用データを移動通信網を介して位置決めサーバー１６０へ伝送する。
【００７１】
一方、位置決めサーバー１６０は、テスト用端末１１０から受信したＭＡＲ値最適化用データを分析し、ＭＡＲ値最適化が必要な無線基地局を分類し、ＭＡＲ値の最適化作業を行う。図２における参照符号２６０は測定用車両の移動経路で、移動経路上に示された点「●」はＣ−ＧＰＳ位置情報及びＡ−ＧＰＳデータの受信状態が良い地点、「×」はＣ−ＧＰＳ位置情報の受信状態は良いが、Ａ−ＧＰＳデータの受信状態は良くない地点を意味する。
【００７２】
具体的には、●で示された地点は、テスト用端末１１０がＡ−ＧＰＳ方式を用いて位置決めサーバー１６０において予め決められた個数以上のＧＰＳ人工衛星を観測できる地点で、「×」で示された地点は、Ａ−ＧＰＳ方式を用いて予め決められた個数未満のＧＰＳ人工衛星しか観測できない地点である。ここで、ＧＰＳ人工衛星を観測するということは、ＧＰＳ人工衛星から送出されるＧＰＳ信号を探索して受信することをいう。したがって、本実施形態によるＭＡＲ値最適化が必要な無線基地局は、Ｃ−ＧＰＳ方式では予め決められた一定個数以上のＧＰＳ人工衛星が観測されるが、Ａ−ＧＰＳ方式では予め決められた一定個数未満のＧＰＳ人工衛星が観測されるエリア（図２で「×」で示される）と隣接している無線基地局Ａ２１２であるということができる。
【００７３】
一方、図２を参照すると、「×」で示された地点が、光中継器２２２が管轄するエリアＢ２２０に主に分布していることが分かる。「×」で示された地点がエリアＢ２２０に主に分布している理由を説明する。テスト用端末１１０が無線基地局Ａ２１２に設定されたＭＡＲ値によってカバーされるエリアＡ内に位置する場合には、位置決めサーバー１６０から伝送される補助データに含まれたＧＰＳ人工衛星１０２の情報が適切であり、テスト用端末１１０は多数のＧＰＳ人工衛星１０２を観測することができる。しかしながら、テスト用端末１１０がエリアＡ２１０を外れて、光ケーブル２５０によって接続された光中継器２２２がカバーするエリアＢ２２０へ移動する場合には、Ａ−ＧＰＳ方式によって位置決めが正しく行われなくなる。
【００７４】
具体的には、エリアＢ２２０へ移動したテスト用端末１１０がＡ−ＧＰＳデータを取得するために位置決めサーバー１６０へ伝送する位置決め要求信号に含まれる無線基地局の識別コードは、無線基地局Ａ２１２の識別コードである。したがって、位置決めサーバー１６０は無線基地局Ａ２１２に設定されたＭＡＲ値と位置座標とを用いて、ＧＰＳ信号の受信が可能なＧＰＳ人工衛星１０２の情報を検索して伝送する。ここで、位置決めサーバー１６０から送出されるＧＰＳ人工衛星１０２の情報は、無線基地局Ａ２１２に設定されたＭＡＲ値を用いて抽出した情報であるので、エリアＡ２１０内でのみ有効な情報として使用可能である。
【００７５】
しかしながら、テスト用端末１１０はエリアＢ２２０に移動しているにもかかわらず、エリアＡ２１０のみで有効でありエリアＢ２２０においては不適切なＧＰＳ人工衛星１０２の情報を用いてＧＰＳ信号を探索するため、十分な個数のＧＰＳ信号（例えば３個以上など）を受信することができなくなる。
【００７６】
このような問題点を解決するために、無線伝送器Ａ２１２に設定されたＭＡＲ値を増加させるようなＭＡＲ値最適化作業を行う。このため、位置決めサーバー１６０は無線基地局別に分類及び格納されているＭＡＲ値最適化用データを分析し、無線基地局の位置から最も遠く離れている「×」地点までの距離を演算し、無線基地局の新たなＭＡＲ値として更新する。図２で見れば、参照符号２７０によって示された距離が無線基地局Ａ２１２の新たなＭＡＲ値になる。位置決めサーバー１６０が特定無線基地局のＭＡＲ値を更新すると、更新後に該当無線基地局がカバーするエリアは、新しく更新されたＭＡＲ値を半径とするエリアになる。
【００７７】
図３は、本発明の実施の形態によって無線基地局に設定されたＭＡＲ値の最適化過程を示す流れ図である。
【００７８】
本実施形態にかかるＬＢＳ最適化システム１００よってＭＡＲ値を最適化するために、作業者は車両などの移動手段によって移動しながら一定の距離の地点または一定時間ごとに停止し、測定作業のためにテスト用端末１１０の電源をオンする（Ｓ３００）。作業者はテスト用端末１１０に搭載されたプログラムを用いたり、テスト用端末１１０の表面等に設けられた所定のキーボタンを操作するなどして、テスト用端末１１０をＣ−ＧＰＳ動作モードに設定する（Ｓ３０２）。Ｃ−ＧＰＳ動作モードに設定されたテスト用端末１１０はＧＰＳ信号を検索し、該検索したＧＰＳ信号に含まれるＣ−ＧＰＳ位置情報を抽出し、それを例えばテスト用端末１１０に組み込まれたメモリ等に一時的に格納する（Ｓ３０４）。
【００７９】
ステップＳ３０４にて、Ｃ−ＧＰＳ動作モードによるＣ−ＧＰＳ位置情報の取得作業が終了すると、作業者はテスト用端末１１０をＡ−ＧＰＳ動作モードに変更する（Ｓ３０６）。ここで、Ｃ−ＧＰＳ動作モードからＡ−ＧＰＳ動作モードへの変更作業は、ステップ
Ｓ３０２で説明したことと同様に、プログラムを用いたり所定のキーボタンを操作することなどによって行うことができる。また、より望ましくは、テスト用端末１１０がＣ−ＧＰＳ動作モードでＣ−ＧＰＳ位置情報の取得作業を終了すると、Ａ−ＧＰＳ動作モードへの自動転換が行われるように、テスト用端末１１０に組み込み可能なＧＰＳ測定プログラムなどをコーディングすることができる。Ａ−ＧＰＳ動作モードに変更されたテスト用端末１１０はＧＰＳ信号を検索し、該検索したＧＰＳ信号に含まれたＡ−ＧＰＳデータを抽出してメモリ等に一時的に格納する（Ｓ３０８）。
【００８０】
ステップＳ３０８にて、テスト用端末１１０は図１で説明したように、位置決めサーバー１６０へＡ−ＧＰＳ位置決め要求信号を伝送し、その位置決めサーバー１６０から補助データを受信し、該補助データに含まれるＧＰＳ人工衛星の座標情報を用いてＧＰＳ信号を検索する。その次に、ＧＰＳ信号に含まれるナビゲーションデータを用いてＡ−ＧＰＳデータを生成して格納する。
【００８１】
なお、図３では、テスト用端末１１０がまずＣ−ＧＰＳモードに動作した後、Ａ−ＧＰＳモードに動作することと示されたが、Ａ−ＧＰＳモードにまず動作し、その後Ｃ−ＧＰＳモードに動作することとしてもよい。
【００８２】
テスト用端末１１０はステップＳ３０４及びステップＳ３０８によって取得したＭＡＲ値最適化用データを、組み込み可能な無線モデム等を用いて位置決めサーバー１６０へ伝送する（Ｓ３１０）。位置決めサーバー１６０は、第１のステップの一例として、テスト用端末１１０から受信したＣ−ＧＰＳ位置情報及びＡ−ＧＰＳデータとを含むＭＡＲ値最適化用データを、連動するＭＡＲ値最適化用データベース１６４に格納する（Ｓ３１２）。
【００８３】
位置決めサーバー１６０は、第２のステップの一例として、予め決められた一定の時間間隔ごとにＭＡＲ値最適化作業のために、ＭＡＲ値最適化用データベース１６４に格納されているＭＡＲ値最適化用データを無線基地局別に読み取って分析し、ＭＡＲ値最適化作業が必要かを判断する（Ｓ３１４）。次いで位置決めサーバー１６０はステップ
Ｓ３１４の判断の結果、ＭＡＲ値最適化が必要であると判断すれば、第３のステップの一例として、新たなＭＡＲ値を演算するべく該当無線基地局と最も遠く離れた測定地点までの距離を計算する（Ｓ３１６）。ここで、最も遠く離れた測定地点の座標情報は、Ｃ−ＧＰＳ位置情報に含まれる測定地点の緯経度座標情報やＡ−ＧＰＳデータを用いて計算した測定地点の緯経度座標情報等を検索して取得することができる。
【００８４】
位置決めサーバー１６０は、第４のステップの一例として、ステップＳ３１８で計算した最大距離値を該当無線基地局の新たなＭＡＲ値として設定し、ステップＳ３１８で計算した最大距離値をＭＡＲ値データベースに格納されているＭＡＲ値テーブルにおいて該当無線基地局の新たなＭＡＲ値として更新して格納する（Ｓ３２０）。
【００８５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００８６】
本発明は、基地局電波の最大半径値を調節し、ロケーションベースのサービスを最適化する方法及びそのシステムに適用可能である。特に、特定な無線基地局と光ケーブルを介して接続した光中継器のカバーするエリアに位置したＡ−ＧＰＳ（Ａｓｓｉｓｔｅｄ−Ｇｌｏｂａｌ  Ｐｏｓｉｔｉｏｎｉｎｇ  Ｓｙｓｔｅｍ）移動通信端末の位置決めを正確にするために、Ａ−ＧＰＳ移動通信端末がより多数の衛星信号を受取ることができるように無線基地局のＭＡＲ値を所定の値に調節して、ＬＢＳを最適化する方法及びそのシステムに適用可能である。
【図面の簡単な説明】
【００８７】
【図１】本発明の実施形態にかかるＬＢＳ最適化システム１００を示す概略ブロック図である。
【図２】同実施形態によるＭＡＲ最適化を説明するための説明図である。
【図３】同実施形態による無線基地局に設定されたＭＡＲ値の最適化過程を示す流れ図である。
【符号の説明】
【００８８】
１００  ＬＢＳ最適化システム
１０２  ＧＰＳ人工衛星
１１０  テスト用端末
１２０、２１２  基地局伝送器
１２１、２５０  光ケーブル
１２２、２２２  光中継器
１３０  基地局制御機
１４０  移動交換局
１５０  ＳＴＰ
１６０  位置決めサーバー
１６２  ＭＡＲ値データベース
１６４  ＭＡＲ値最適化用データベース
１７０  基準ＧＰＳアンテナ
【図１】
2004254292.tif 000003
【図２】
2004254292.tif 000004
【図３】
2004254292.tif 000005